(57)【特許請求の範囲】
【請求項１】
従業員である旨を特定可能な識別情報を受付けた場合に従業員の認証を受けたとして計数処理を許容する計数装置と、当該計数装置を管理対象とした管理装置とを備えた遊技場用管理システムにおいて、
従業員の認証を受けなくとも前記計数装置における計数処理が許容される特定の遊技者の識別情報である特定遊技者情報を他の遊技者の識別情報と区別可能な状態で記憶する識別情報記憶手段と、
前記計数装置に受付けられた遊技者の識別情報と前記識別情報記憶手段に記憶されている特定遊技者情報とを照合する識別情報照合手段と、
前記識別情報照合手段による照合結果が適正である場合に、前記計数装置における計数処理を許容する遊技者計数許容手段と、
前記遊技者計数許容手段が計数処理を許容した場合における１回の計数処理に対する計数上限値を記憶する計数上限値記憶手段と、
前記遊技者計数許容手段により計数処理が許容されて前記計数装置において計数処理が行われた場合に、当該計数処理により計数された計数値と前記計数上限値記憶手段に記憶されている計数上限値とを比較して計数値が異常であるか否かを判定する計数値判定手段と、
当該計数処理により計数された計数値が異常でない旨を前記計数値判定手段が判定した場合に、前記計数装置が受付けている識別情報を当該計数処理における計数者の識別情報として記憶する計数者記憶手段と、
前記計数者記憶手段に計数者の識別情報が記憶されている状態で前記計数装置が新たに識別情報を受付けた場合に、当該新たに受付けられた識別情報と前記計数者記憶手段に記憶されている計数者の識別情報とを照合した照合結果に基づいて異常であるか否かを判定する異常判定手段と、
前記異常判定手段による判定結果を報知する報知手段とを備え、
前記異常判定手段は、同一の遊技者が前記計数装置における計数を連続して行った旨を判定した場合に異常である旨を判定することを特徴とする遊技場用管理システム。
【請求項２】
遊技機に対応して設けられ、対応する遊技機で遊技する遊技者の識別情報を受付け可能な遊技機端末を備え、
前記異常判定手段は、前記計数者記憶手段に計数者の識別情報が記憶されている状態で前記計数装置が新たに識別情報を受付けた場合に、当該新たに受付けられた識別情報と前記計数者記憶手段に記憶されている計数者の識別情報とが同一であるときであって前記計数者記憶手段に計数者の識別情報が記憶されてから前記計数装置が新たに識別情報を受付けるまでの期間に当該新たに受付けた識別情報が前記遊技機端末に受付けられていないときに同一の遊技者が前記計数装置における計数を連続して行った旨を判定することを特徴とする請求項１に記載した遊技場用管理システム。
【請求項３】
遊技機に対応して設けられ、対応する遊技機において使用された遊技媒体数を特定可能な使用遊技媒体信号、対応する遊技機において払出された遊技媒体数を特定可能な払出遊技媒体信号、対応する遊技機において所定の役物の作動数あるいは入賞に応じて前記役物を作動させる入賞口への入賞数を特定可能な役物作動信号及び対応する遊技機における大当り状態を特定可能な大当り信号のうち少なくとも１つを遊技情報信号として受信可能な遊技機端末と、
前記遊技機端末が受信した遊技情報信号に基づいて遊技機毎の遊技情報を特定する遊技情報特定手段と、
計数対象となる遊技媒体を獲得した遊技機識別情報の入力操作を受付ける操作手段とを備え、
前記異常判定手段は、前記計数者記憶手段に計数者の識別情報が記憶されている状態で前記計数装置が新たに識別情報を受付けた場合に、当該新たに受付けられた識別情報と前記計数者記憶手段に記憶されている計数者の識別情報とが同一であるときであって前記計数者記憶手段に計数者の識別情報が記憶されてから前記計数装置が新たに識別情報を受付けるまでの期間に前記操作手段が受付けた遊技機識別情報に対応する遊技機での前記遊技情報特定手段により特定される遊技情報の変動が所定値以下であるときに同一の遊技者が前記計数装置における計数を連続して行った旨を判定することを特徴とする請求項１に記載した遊技場用管理システム。
【請求項４】
遊技機端末にて遊技情報信号を所定期間受信していないか否かに基づいて当該遊技機端末に対応する遊技機が非稼動状態であるか否かを判定する稼動状態判定手段を備え、
前記異常判定手段は、前記操作手段が遊技機識別情報の入力操作を受付けた場合に当該操作手段が受付けた遊技機識別情報に対応する遊技機が稼動状態である旨を前記稼動状態判定手段が判定した場合にも異常である旨を判定することを特徴とする請求項３に記載した遊技場用管理システム。
【請求項５】
前記遊技機端末は、対応する遊技機において使用された遊技媒体数を特定可能な使用遊技媒体信号、対応する遊技機において払出された遊技媒体数を特定可能な払出遊技媒体信号及び対応する遊技機で遊技する遊技者に対して貸出された遊技媒体数を特定可能な貸出遊技媒体信号を少なくとも遊技情報信号として受信可能に構成され、
遊技機端末が受信した遊技情報信号に基づいて遊技者が遊技した遊技機の獲得遊技媒体数を特定する獲得遊技媒体特定手段と、
同一の遊技者が前記計数装置における計数を連続して行った旨を前記異常判定手段が判定した場合または計数値が異常である旨を前記計数値判定手段が判定した場合に、従業員である旨を特定可能な識別情報を受付けるまで前記計数装置における計数情報の発行処理を許容しない発行許容手段とを備え、
前記発行許容手段は、同一の遊技者による複数回の計数処理があった場合に当該遊技者における前記獲得遊技媒体特定手段により特定された獲得遊技媒体数に基づいて特定される適正範囲内に複数回の計数処理における合算計数値が属する場合には、従業員である旨を特定可能な識別情報を受付けることなく前記計数情報の発行処理を許容することを特徴とする請求項２ないし４のいずれかに記載した遊技場用管理システム。
【発明の詳細な説明】
【技術分野】
【０００１】
本発明は、従業員である旨を特定可能な識別情報を受付けた場合に従業員の認証を受けたとして計数処理を許容する計数装置と、当該計数装置を管理対象とした管理装置とを備えた遊技場用管理システムに関する。
【背景技術】
【０００２】
遊技場では、遊技者は遊技により獲得した遊技媒体を計数装置にて計数し、希望する景品との交換を行っている。そして、このような計数装置にシャッタを設け、会員カードを受付けた場合に限りシャッタを開放することで、遊技者が自らで計数を行えるという特典を特定の遊技者に対して与えるものが供されている（例えば特許文献１参照）。
【特許文献１】特開平９−１７３６２２号公報
【発明の開示】
【発明が解決しようとする課題】
【０００３】
ところで、近年、遊技媒体を計数する際の不正対策として、従業員の認証を受けた場合に限り計数を許容することが遊技場において主流となっているが、上記した特許文献１に記載されている構成での運用を想定すると、上記した従業員の認証を必要としなくとも良いばかりか、遊技者が自らで計数を行えるので、遊技機から計数装置まで出玉を運搬するサービス自体を提供しなくとも遊技者が不満に思わないことになり、不正を考慮した上で従業員の負担を軽減することができ、さらには遊技者の満足感を維持することができる効果をも期待することができる。
【０００４】
ところが、遊技場としては、このような遊技者自身による計数、いわゆる会員計数を許容した場合であっても、万一の不正に備えて計数１回あたりの上限値を定めることが想定される。この場合、遊技者は例えば計数１回あたりの上限値が「２０００玉」に定められている状況で「４５００玉」の獲得玉を計数するような場合であれば、その４５００玉の獲得玉を「１５００玉」ずつの３回に分けて計数することが想定される。しかしながら、遊技場ではこのような計数を不正の有無を問わず許容していないので、遊技場が意図しない計数が行われることになる。すなわち、遊技者を信用することができなくなり、折角の会員計数を有効に利用することができずに実施することができなくなるという虞があった。
【０００５】
本発明は、上記した事情に鑑みてなされたものであり、その目的は、遊技場が意図しない計数が行われることを未然に防止することができ、従業員の認証を必要としない会員計数を有効に利用することを可能とする遊技場用管理システムを提供することにある。
【課題を解決するための手段】
【０００６】
請求項１に記載した発明は、従業員である旨を特定可能な識別情報を受付けた場合に従業員の認証を受けたとして計数処理を許容する計数装置と、当該計数装置を管理対象とした管理装置とを備えた遊技場用管理システムにおいて、従業員の認証を受けなくとも前記計数装置における計数処理が許容される特定の遊技者の識別情報である特定遊技者情報を他の遊技者の識別情報と区別可能な状態で記憶する識別情報記憶手段と、前記計数装置に受付けられた遊技者の識別情報と前記識別情報記憶手段に記憶されている特定遊技者情報とを照合する識別情報照合手段と、前記識別情報照合手段による照合結果が適正である場合に、前記計数装置における計数処理を許容する遊技者計数許容手段と、前記遊技者計数許容手段が計数処理を許容した場合における１回の計数処理に対する計数上限値を記憶する計数上限値記憶手段と、前記遊技者計数許容手段により計数処理が許容されて前記計数装置において計数処理が行われた場合に、当該計数処理により計数された計数値と前記計数上限値記憶手段に記憶されている計数上限値とを比較して計数値が異常であるか否かを判定する計数値判定手段と、当該計数処理により計数された計数値が異常でない旨を前記計数値判定手段が判定した場合に、前記計数装置が受付けている識別情報を当該計数処理における計数者の識別情報として記憶する計数者記憶手段と、前記計数者記憶手段に計数者の識別情報が記憶されている状態で前記計数装置が新たに識別情報を受付けた場合に、当該新たに受付けられた識別情報と前記計数者記憶手段に記憶されている計数者の識別情報とを照合した照合結果に基づいて異常であるか否かを判定する異常判定手段と、前記異常判定手段による判定結果を報知する報知手段とを備え、前記異常判定手段は、同一の遊技者が前記計数装置における計数を連続して行った旨を判定した場合に異常である旨を判定するように構成したところに特徴を有する。
【０００７】
請求項２に記載した発明は、遊技機に対応して設けられ、対応する遊技機で遊技する遊技者の識別情報を受付け可能な遊技機端末を備え、前記異常判定手段は、前記計数者記憶手段に計数者の識別情報が記憶されている状態で前記計数装置が新たに識別情報を受付けた場合に、当該新たに受付けられた識別情報と前記計数者記憶手段に記憶されている計数者の識別情報とが同一であるときであって前記計数者記憶手段に計数者の識別情報が記憶されてから前記計数装置が新たに識別情報を受付けるまでの期間に当該新たに受付けた識別情報が前記遊技機端末に受付けられていないときに同一の遊技者が前記計数装置における計数を連続して行った旨を判定するように構成したところに特徴を有する。
【０００８】
請求項３に記載した発明は、遊技機に対応して設けられ、対応する遊技機において使用された遊技媒体数を特定可能な使用遊技媒体信号、対応する遊技機において払出された遊技媒体数を特定可能な払出遊技媒体信号、対応する遊技機において所定の役物の作動数あるいは入賞に応じて前記役物を作動させる入賞口への入賞数を特定可能な役物作動信号及び対応する遊技機における大当り状態を特定可能な大当り信号のうち少なくとも１つを遊技情報信号として受信可能な遊技機端末と、前記遊技機端末が受信した遊技情報信号に基づいて遊技機毎の遊技情報を特定する遊技情報特定手段と、計数対象となる遊技媒体を獲得した遊技機識別情報の入力操作を受付ける操作手段とを備え、前記異常判定手段は、前記計数者記憶手段に計数者の識別情報が記憶されている状態で前記計数装置が新たに識別情報を受付けた場合に、当該新たに受付けられた識別情報と前記計数者記憶手段に記憶されている計数者の識別情報とが同一であるときであって前記計数者記憶手段に計数者の識別情報が記憶されてから前記計数装置が新たに識別情報を受付けるまでの期間に前記操作手段が受付けた遊技機識別情報に対応する遊技機での前記遊技情報特定手段により特定される遊技情報の変動が所定値以下であるときに同一の遊技者が前記計数装置における計数を連続して行った旨を判定するように構成したところに特徴を有する。
【０００９】
請求項４に記載した発明は、遊技機端末にて遊技情報信号を所定期間受信していないか否かに基づいて当該遊技機端末に対応する遊技機が非稼動状態であるか否かを判定する稼動状態判定手段を備え、前記異常判定手段は、前記操作手段が遊技機識別情報の入力操作を受付けた場合に当該操作手段が受付けた遊技機識別情報に対応する遊技機が稼動状態である旨を前記稼動状態判定手段が判定した場合にも異常である旨を判定するように構成したところに特徴を有する。
【００１０】
請求項５に記載した発明は、前記遊技機端末は、対応する遊技機において使用された遊技媒体数を特定可能な使用遊技媒体信号、対応する遊技機において払出された遊技媒体数を特定可能な払出遊技媒体信号及び対応する遊技機で遊技する遊技者に対して貸出された遊技媒体数を特定可能な貸出遊技媒体信号を少なくとも遊技情報信号として受信可能に構成され、遊技機端末が受信した遊技情報信号に基づいて遊技者が遊技した遊技機の獲得遊技媒体数を特定する獲得遊技媒体特定手段と、同一の遊技者が前記計数装置における計数を連続して行った旨を前記異常判定手段が判定した場合または計数値が異常である旨を前記計数値判定手段が判定した場合に、従業員である旨を特定可能な識別情報を受付けるまで前記計数装置における計数情報の発行処理を許容しない発行許容手段とを備え、前記発行許容手段は、同一の遊技者による複数回の計数処理があった場合に当該遊技者における前記獲得遊技媒体特定手段により特定された獲得遊技媒体数に基づいて特定される適正範囲内に複数回の計数処理における合算計数値が属する場合には、従業員である旨を特定可能な識別情報を受付けることなく前記計数情報の発行処理を許容するように構成したところに特徴を有する。
【発明の効果】
【００１１】
請求項１に記載した発明によれば、識別情報記憶手段は、従業員の認証を受けなくとも計数装置における計数処理が許容される特定の遊技者の識別情報である特定遊技者情報を他の遊技者の識別情報と区別可能な状態で記憶しており、遊技者の識別情報が計数装置に受付けられると、識別情報照合手段は、その計数装置に受付けられた識別情報と識別情報記憶手段に記憶されている特定遊技者情報とを照合し、遊技者計数許容手段は、識別情報照合手段による照合結果が適正であると、計数装置における計数処理を許容する。
【００１２】
計数上限値記憶手段は、遊技者計数許容手段が計数処理を許容した場合における１回の計数処理に対する計数上限値を記憶しており、遊技者計数許容手段により計数処理が許容されて計数装置において計数処理が行われると、計数値判定手段は、当該計数処理により計数された計数値と計数上限値記憶手段に記憶されている計数上限値とを比較して計数値が異常であるか否かを判定し、当該計数処理により計数された計数値が異常でない旨を計数値判定手段が判定すると、計数者記憶手段は、計数装置が受付けている識別情報を当該計数処理における計数者の識別情報として記憶する。
【００１３】
そして、計数者記憶手段に計数者の識別情報が記憶されている状態で計数装置が新たに識別情報を受付けると、異常判定手段は、当該新たに受付けられた識別情報と計数者記憶手段に記憶されている計数者の識別情報とを照合した照合結果に基づいて異常であるか否かを判定し、報知手段は、異常判定手段による判定結果を報知する。ここで、異常判定手段は、同一の遊技者が計数装置における計数を連続して行った旨を判定した場合に異常である旨を判定する。これにより、同一の遊技者が計数装置における計数を連続して行うと、異常である旨を報知するので、遊技場が意図しない計数が行われることを未然に防止することができ、従業員の認証を必要としない会員計数を有効に利用可能とすることができる。
【００１４】
請求項２に記載した発明によれば、異常判定手段は、計数者記憶手段に計数者の識別情報が記憶されている状態で計数装置が新たに識別情報を受付けると、当該新たに受付けられた識別情報と計数者記憶手段に記憶されている計数者の識別情報とが同一であるときであって計数者記憶手段に計数者の識別情報が記憶されてから計数装置が新たに識別情報を受付けるまでの期間に当該新たに受付けた識別情報が遊技機端末に受付けられていないときに同一の遊技者が計数装置における計数を連続して行った旨を判定する。これにより、遊技者が計数者として計数を行うときに前回の計数と今回の計数との間で当該遊技者が遊技していないときに当該遊技者が計数装置における計数を連続して行った旨を判定することができ、遊技者が遊技している途中で計数した場合あるいは計数後に再度遊技を行い当該遊技結果に基づいて計数した場合を排除して連続計数を行ったか否かを精度良く判定することができる。
【００１５】
請求項３に記載した発明によれば、遊技機端末は、遊技機に対応して設けられ、対応する遊技機において使用された遊技媒体数を特定可能な使用遊技媒体信号、対応する遊技機において払出された遊技媒体数を特定可能な払出遊技媒体信号、対応する遊技機において所定の役物の作動数あるいは入賞に応じて前記役物を作動させる入賞口への入賞数を特定可能な役物作動信号及び対応する遊技機における大当り状態を特定可能な大当り信号のうち少なくとも１つを遊技情報信号として受信可能であり、遊技情報特定手段は、遊技機端末が受信した遊技情報信号に基づいて遊技機毎の遊技情報を特定し、操作手段は、計数対象となる遊技媒体を獲得した遊技機識別情報の入力操作を受付ける。
【００１６】
異常判定手段は、計数者記憶手段に計数者の識別情報が記憶されている状態で計数装置が新たに識別情報を受付けると、当該新たに受付けられた識別情報と計数者記憶手段に記憶されている計数者の識別情報とが同一であるときであって計数者記憶手段に計数者の識別情報が記憶されてから計数装置が新たに識別情報を受付けるまでの期間に操作手段が受付けた遊技機識別情報に対応する遊技機での遊技情報特定手段により特定される遊技情報の変動が所定値以下であるときに同一の遊技者が計数装置における計数を連続して行った旨を判定する。これにより、遊技した遊技者の識別情報を遊技機端末で受付け不可能な構成であっても、遊技者が計数対象となる遊技媒体を獲得した遊技機の遊技機識別情報の入力操作を操作手段にて行うことにより、遊技機端末が受信した遊技情報信号に基づいて同一の遊技者が計数装置における計数を連続して行ったか否かを判定することができ、連続計数を行ったか否かを上記した請求項２同様に精度良く判定することができる。
【００１７】
請求項４に記載した発明によれば、稼動状態判定手段は、遊技機端末にて遊技情報信号を所定期間受信していないか否かに基づいて当該遊技機端末に対応する遊技機が非稼動状態であるか否かを判定し、異常判定手段は、操作手段が遊技機識別情報の入力操作を受付けた場合に当該操作手段が受付けた遊技機識別情報に対応する遊技機が稼動状態である旨を稼動状態判定手段が判定すると、この場合にも、異常である旨を判定する。これにより、遊技者が遊技している途中で計数する場合には当該遊技者が遊技している遊技機は必ず非稼動状態になることから、遊技者が連続計数を避けるために自らが遊技していない遊技機の遊技機識別情報の入力操作を行ったとしても、その遊技機識別情報に対応する遊技機が稼動状態にあれば、異常である旨を判定するので、連続計数を行ったか否かの判定精度を高めることが可能となる。
【００１８】
請求項５に記載した発明によれば、遊技機端末は、対応する遊技機において使用された遊技媒体数を特定可能な使用遊技媒体信号、対応する遊技機において払出された遊技媒体数を特定可能な払出遊技媒体信号及び対応する遊技機で遊技する遊技者に対して貸出された遊技媒体数を特定可能な貸出遊技媒体信号を少なくとも遊技情報信号として受信可能であり、獲得遊技媒体特定手段は、遊技機端末が受信した遊技情報信号に基づいて遊技者が遊技した遊技機の獲得遊技媒体数を特定し、発行許容手段は、同一の遊技者が計数装置における計数を連続して行った旨を異常判定手段が判定すると、または、計数値が異常である旨を計数値判定手段が判定すると、従業員である旨を特定可能な識別情報を受付けるまで計数装置における計数情報の発行処理を許容しない。ここで、発行許容手段は、同一の遊技者による複数回の計数処理があった場合に当該遊技者における獲得遊技媒体特定手段により特定された獲得遊技媒体数に基づいて特定される適正範囲内に複数回の計数処理における合算計数値が属すると、従業員である旨を特定可能な識別情報を受付けることなく計数情報の発行処理を許容する。
【００１９】
これにより、連続計数を行った場合または計数値が異常である場合には従業員である旨を特定可能な識別情報を受付けるまで計数装置における計数情報の発行処理を許容しない一方で、同一の遊技者による複数回の計数処理があった場合に当該遊技者が獲得した獲得遊技媒体数に基づいて特定される適正範囲内に複数回の計数処理における合算計数値が属する場合であれば、従業員である旨を特定可能な識別情報を受付けることなく計数情報の発行処理を許容することにより、遊技者の利便性を損なうことなく、安全性を確保することができる。
【発明を実施するための最良の形態】
【００２０】
以下、本発明の一実施形態について、図面を参照しながら説明する。図１は、遊技場用管理システムの全体構成を概略的に示している。図１において、遊技場としてのパチンコホールには、パチンコ台１（本発明でいう遊技機）に対応してアウトボックス（図示せず）及び貸出装置２が設置されており、これらパチンコ台１、アウトボックス及び貸出装置２（本発明でいう遊技機端末）は中継装置３（本発明でいう遊技機端末）に接続されている。中継装置３、管理装置４（本発明でいう識別情報記憶手段、識別情報照合手段、計数者記憶手段、異常判定手段、報知手段、遊技情報特定手段、稼動状態判定手段、獲得遊技媒体特定手段）、計数装置５（本発明でいう遊技者計数許容手段、計数上限値記憶手段、計数値判定手段、報知手段、操作手段、発行許容手段）及びＰＯＳ装置６はＬＡＮ７を介して相互接続されている。管理装置４及び計数装置５は、ＣＰＵにより照合、判定及び特定などの各種処理を実行可能であると共に、ＲＡＭ、ＲＯＭ、ＨＤＤなどにより各種情報を記憶可能に構成されている。
【００２１】
アウトボックスは、遊技者がパチンコ台１で遊技して使用した遊技媒体（パチンコ玉）である使用遊技媒体に相当する使用玉（アウト）を特定可能なアウト信号（本発明でいう使用遊技媒体信号、１０玉毎に１パルス）を遊技情報信号として中継装置３に送信する。パチンコ台１は、払出した遊技媒体である払出遊技媒体に相当する払出玉（セーフ）を特定可能なセーフ信号（本発明でいう払出遊技媒体信号、１０玉毎に１パルス）、所定の役物の作動数を特定可能な図柄変動信号（本発明でいう役物作動信号）、入賞に応じて役物を作動させる入賞口への入賞数を特定可能なスタート信号（本発明でいう役物作動信号）及び大当たり状態を特定可能な大当り信号を遊技情報信号として中継装置３に送信する。貸出装置２は、遊技者が投入した貨幣に対応して貸出した遊技媒体である貸出遊技媒体に相当する売上玉を特定可能な売上信号（本発明でいう貸出遊技媒体信号、２５玉、１００円毎に１パルス）を遊技情報信号として中継装置３に送信する。
【００２２】
中継装置３は、遊技機側から送信されるアウト信号、セーフ信号、図柄変動信号、スタート信号、大当り信号及び売上信号を受信し、これら遊技情報信号を管理装置４に送信する。尚、アウトボックスがアウト信号を送信する代わりにパチンコ台１がアウト信号を送信する構成であっても良いし、パチンコ台１に対応して設けられる補給装置からパチンコ台１に補給された遊技媒体を特定可能な補給信号をセーフ信号としても良い。
【００２３】
貸出装置２は、図２に示すように、対応するパチンコ台１の稼動状態やエラー状態などを表示する状態表示ランプ８、パチンコ台１の遊技データや各種情報を表示する例えば液晶ディスプレイからなる情報表示部９、従業員が携帯する操作リモコンから送信されたリモコン信号を受信する受光部１０、遊技場が発行した会員カードが挿入されるカード挿入口１１及び会員カードを排出するためのカード排出ボタン１２などを備えて構成されている。会員カードは、パチンコホールの会員として登録した遊技者に対して発行されるものであり、会員となった遊技者は会員カードを使用することにより各種サービスを受けることができる。会員として登録するためには、所定の申請用紙に氏名、年齢、性別、職業及び住所などの個人情報を記入した上でパチンコホールに提出する必要があり、パチンコホール側は入手した個人情報を会員情報として管理装置４に記憶する。
【００２４】
この場合、貸出装置２は、会員カードがカード挿入口１１に挿入されると、会員カードに記録されている各データ（会員に付与されている会員ＩＤ、カードの有効年月日を示す有効年月日データ、パチンコホールを特定するための加盟店データなど）をカードリーダにより読取り、その読取った各データのうち少なくとも会員ＩＤを特定可能な遊技ＩＤ情報を管理装置４に送信する。また、貸出装置２は、従業員が携帯する操作リモコンから送信されたリモコン信号を受光部１０が受信すると、遊技者の移動元となる遊技機番号を特定可能な台移動信号を管理装置４に送信する。
【００２５】
計数装置５は、図３ないし図５に示すように、その本体ケース１３に遊技媒体が投入されるホッパ状の受入収容器１４が設けられ、その受入収容器１４の最上部に３枚の蓋１５ａ〜１５ｃ（図５参照）が連結されてなる投入遮断蓋１５がスライド移動可能に設けられて構成されている。投入遮断蓋１５を構成する３枚の蓋１５ａ〜１５ｃのうち蓋１５ａには把持部１６が設けられており、遊技媒体を計数する計数者は把持部１６を持って投入遮断蓋１５をスライド移動させることが可能になっている。
【００２６】
この場合、計数者は、図４に示すように、投入遮断蓋１５を開放位置にスライド移動させる（把持部１６を前方に押出す）ことにより、受入収容器１４の受入口１４ａを開放させて遊技媒体を受入収容器１４に投入することができ、一方、図５に示すように、投入遮断蓋１５を閉鎖位置にスライド移動させる（把持部１６を手前側に引く）ことにより、受入収容器１４の受入口１４ａを閉鎖させて遊技媒体の受入収容器１４への投入を遮断することができる。また、受入収容器１４の上部であって計数者から見て手前側には、投入遮断蓋１５が閉鎖位置にスライド移動されているか否か、つまり、受入収容器１４の受入口１４ａが閉鎖されているか否かを検知する開閉検知センサ１７が設けられている。
【００２７】
受入収容器１４の最下部には取込口１８が形成されており、投込口１８にはシャッタ１９がスライド移動可能に設けられている。シャッタ１９は、例えばモータを利用したシャッタ駆動装置（図示せず）により、受入収容器１４に受入れられた遊技媒体が取込口１８を通じて計数部（図示せず）に案内されるように取込口１８を開放する開放位置（破線にて示す位置）と案内されないように取込口１８を閉鎖する閉鎖位置（二点鎖線にて示す位置）との間で図４中矢印Ａ１，Ａ２方向にスライド往復移動する（変位する）ようになっている。そして、シャッタ１９が開放位置にスライド移動されて取込口１８が開放されている状態では、受入収容器１４に投入された遊技媒体は、投込口１８を通じて計数部に案内され、排出路（図示せず）を通じて本体ケース１３の外部に排出される。この場合、遊技媒体が計数部を通過するときに、計数センサが遊技媒体を検知することにより、計数部を通過した遊技媒体の数に対応した計数パルスを当該計数センサがリアルタイムで発生すし、遊技媒体を計数する構成となっている。
【００２８】
受入収容器１４の後方には、例えば液晶ディスプレイからなる表示部１９が設けられており、この表示部１９は、計数部が遊技媒体を計数した計数値、つまり、投入された遊技媒体数、その投入されて計数された遊技媒体により交換可能な特定景品の交換個数、遊技媒体を特定景品と交換した場合における余り遊技媒体数（余り玉数）、エラーメッセージなどを表示するという周知の表示機能を有して構成されている。
【００２９】
本体ケース１３の上面部には、レシート発行ボタン２０、返却ボタン２１、レシート発行ボタン２０が押下された場合にレシート（計数した遊技媒体数を特定可能な情報、当日の日付及び景品交換が有効な有効期限などが記録された周知の記録媒体）を発行するレシート発行部２２が設けられていると共に、上記した表示部１９の近傍には、会員カードが挿入されるカード挿入口２３が設けられている。この場合、計数装置５は、遊技者が会員カードをカード挿入口２３に挿入すると、会員カードに記録されている各データをカードリーダにより読取るようになっている。また、本体ケース１３の正面部には、例えば従業員が携帯する操作リモコン（本発明でいう操作手段）から送信されたリモコン信号（操作リモコンにて台番（本発明でいう遊技機識別情報）入力操作を受付け可能とし、台番入力操作を受付けた場合には当該台番を特定可能な構成としても良い）を受信する受光部２４が設けられていると共に、上記した返却ボタン２１が押下された場合に余り玉を放出する余り玉返却部２５が設けられている。
【００３０】
上記した構成では、管理装置４は、図６に示すように、会員ＩＤ、会員氏名、貯玉数（遊技者が獲得した遊技媒体数のうち遊技場に預けておく遊技媒体数）、来店回数、会員区分及び図示しない上記した個人情報などを１レコードとする会員データベースを記憶保持している。ここで、来店回数とは、貸出装置２や計数装置５などの遊技場に設置される端末装置が会員カードを受付けた日数であり、この来店回数が例えば「２００回」以上である会員を優良会員（本発明でいう特定の遊技者）として設定すると共に「２００回」未満である会員を一般会員として設定し、全ての会員を優良会員と一般会員とに区分して管理している。また、管理装置４は、従業員が携帯する操作リモコンのＩＤ（従業員ＩＤ）についても管理している。
【００３１】
ここで、管理装置４は、優良会員として設定した遊技者が自らで計数（会員計数）を行う際の計数上限値を設定可能であり、設定した計数上限値及び従業員ＩＤを例えば設定更新を行うタイミングなどで計数装置５に送信する。計数装置５は、管理装置４から計数上限値及び従業員ＩＤを受信すると、それまでに記憶保持しておいた計数上限値及び従業員ＩＤを当該受信した計数上限値及び従業員ＩＤに更新することにより、管理装置４から受信した最新の計数上限値及び従業員ＩＤを記憶保持する。
【００３２】
次に、上記した構成の作用について、図７ないし図１２を参照して説明する。図７及び図８は、計数装置５が行う処理をフローチャートとして示しており、図９は、遊技機端末が行う処理をフローチャートとして示しており、図１０は、管理装置４が行う処理をフローチャートとして示している。以下、これらの処理について順次説明する。
【００３３】
（１）計数装置５が行う処理
計数装置５は、計数機処理を開始すると、ＩＤ（従業員ＩＤまたは会員ＩＤ）を受付けたか否かを判定する（Ｓ１）。ここで、計数装置５は、従業員が操作リモコンから従業員ＩＤを特定可能なリモコン信号を受光部２４に向けて送信させると、そのリモコン信号を受信し、従業員ＩＤを受付けた旨を判定すると（Ｓ１：ＹＥＳ）、その受信した従業員ＩＤと記憶保持している従業員ＩＤとを照合して当該受信した従業員ＩＤが適正な従業員ＩＤであるか否かを判定し（Ｓ２）、適正な従業員ＩＤである旨を判定すると（Ｓ２：ＹＥＳ）、シャッタ１９を閉鎖位置から開放位置にスライド移動させて取込口１８を開放させ（Ｓ３）、計数を許容して計数中処理に移行する（Ｓ４）。
【００３４】
一方、計数装置５は、遊技者が会員カードをカード挿入口２３に挿入したことにより、会員カードから会員ＩＤを入力し、会員ＩＤを受付けた旨を判定すると（Ｓ１：ＹＥＳ）、受付けたＩＤが従業員ＩＤでない旨を判定し（Ｓ２：ＮＯ）、会員ＩＤを特定可能な計数ＩＤ情報を管理装置４に送信する（Ｓ５）。そして、計数装置５は、管理装置４から許容情報を受信するか拒絶情報を受信するまで待機する（Ｓ６、Ｓ７）。
【００３５】
ここで、計数装置５は、管理装置４から許容情報を受信した旨を判定すると（Ｓ６：ＹＥＳ）、会員計数フラグを「１」に設定し（Ｓ８）、この場合も、シャッタ１９を開放位置にスライド移動させて取込口１８を開放させ（Ｓ３）、計数を許容して計数中処理に移行する（Ｓ４）。
【００３６】
計数装置５は、計数中処理に移行すると、計数者（従業員または優良会員として設定されている遊技者）が遊技媒体を受入収容器１４に投入したことに応じて計数センサが検知したか否かを判定し（Ｓ２１）、計数センサが検知した旨を判定すると（Ｓ２１：ＹＥＳ）、計数値を加算し（Ｓ２２）、その時点で会員計数フラグを「１」に設定しているか否か、つまり、計数者が従業員であるか優良会員であるか否かを判定する（Ｓ２３）。
【００３７】
ここで、計数装置５は、会員計数フラグを「１」に設定していない、つまり、計数者が従業員である旨を判定すると（Ｓ２３：ＮＯ）、計数した計数値に関係なく、計数センサが最後に検知してから検知しない時間が所定時間（例えば１秒）経過したか否かを判定することにより、計数を終了したか否かを判定し（Ｓ２４）、計数を終了した旨を判定すると（Ｓ２４：ＹＥＳ）、計数した計数値が「０」を超えているか否かを判定し（Ｓ２５）、計数値が「０」を超えている旨を判定すると（Ｓ２５：ＹＥＳ）、発行操作が行われたか否かを判定する（Ｓ２６）。そして、計数装置５は、発行操作が行われた旨を判定すると（Ｓ２６：ＹＥＳ）、計数中処理を終了してリターンする。
【００３８】
計数装置５は、発行処理に移行すると（Ｓ１０）、会員カードが挿入されていない場合には、レシートをレシート発行部２２から発行させ、一方、会員カードが挿入されている場合には、計数値を貯玉して会員カードを返却する。そして、計数装置５は、このようにして発行処理を行った後に、計数値を「０」に設定し（Ｓ１１）、シャッタ１９を閉鎖位置にスライド移動させて取込口１８を閉鎖させ（Ｓ１２）、計数装置５を特定可能な計数機ＩＤ、計数者、計数値、会員計数であるか否かの区分を含む計数情報を管理装置４に送信し（Ｓ１３）、全てのフラグを「０」に設定し（Ｓ１４）、計数機処理を終了する。
【００３９】
一方、計数装置５は、会員計数フラグを「１」に設定している、つまり、計数者が優良会員である旨を判定すると（Ｓ２３：ＹＥＳ）、従業員ＩＤを受付けたか否かを判定し（Ｓ２７）、従業員ＩＤを受付けていない旨を判定すると（Ｓ２７：ＹＥＳ）、その時点で計数上限フラグを「０」に設定しているか否かを判定する（Ｓ２８）。そして、計数装置５は、計数上限フラグを「０」に設定している旨を判定すると（Ｓ２８：ＹＥＳ）、計数した計数値が計数上限値を超えているか否か（計数値が異常であるか否か）を判定し（Ｓ２９）、つまり、計数途中で計数値が計数上限値（例えば「２０００玉」）を超えたか否かを判定する。尚、本実施形態では、計数値が計数上限値を超えた場合に異常である旨を判定しているが、計数値が計数上限値と同値である場合にも異常である旨を判定しても良い。
【００４０】
ここで、計数装置５は、計数した計数値が計数上限値を超えることなく計数を終了した、つまり、計数途中で計数値が計数上限値を超えなかった旨を判定すると（Ｓ２４：ＹＥＳ）、上記したＳ２５，Ｓ２６を行い、発行操作が行われたか否かを判定するが、計数を終了する前に計数した計数値が計数上限値を超えた、つまり、計数途中で計数値が計数上限値を超えた旨を判定すると（Ｓ２９：ＹＥＳ）、従業員を呼出している旨を表す呼出中メッセージを表示部１９に表示する呼出表示を行い（Ｓ３０）、計数値が計数上限値を超えた旨を表すエラー情報を管理装置４に送信し（Ｓ３１）、計数上限フラグを「１」に設定し（Ｓ３２）、上記したＳ２１に戻る。この場合、計数装置５は、従業員ＩＤを受付けた旨を判定するまで（Ｓ２７：ＹＥＳ）、計数センサの検知の判定を行うが（Ｓ２１）、Ｓ２４以降の発行操作が行われたか否かの判定を行うことはない。つまり、従業員の認証を得るまで発行操作を許容しない（Ｓ２３：ＹＥＳ、Ｓ２７：ＮＯ、Ｓ２８：ＮＯを経てＳ２１に戻る）。しかしながら、計数装置５は、従業員ＩＤを受付けた旨を判定すると（Ｓ２７：ＹＥＳ）、会員計数フラグを「０」に設定し（Ｓ３３）、計数情報を管理装置４に送信し（Ｓ３４）、上記したＳ２４〜Ｓ２６を行う。そして、計数装置５は、発行操作が行われた旨を判定すると（Ｓ２６：ＹＥＳ）、計数中処理を終了してリターンする。すなわち、計数装置５は、計数途中で計数値が計数上限値を超えた場合、計数を途中終了することなく継続して行うが、エラー表示して従業員を呼出し、従業員ＩＤの受信を条件として発行処理を許容する。
【００４１】
尚、計数装置５は、計数中処理において遊技媒体を計数した計数値が「０」を超えていない旨を判定すると（Ｓ２５：ＮＯ）、キャンセル操作が行われたか否かを判定し（Ｓ３５）、キャンセル操作が行われた旨を判定すると（Ｓ３５：ＹＥＳ）、会員カードが挿入されている場合には、会員カードを返却し（Ｓ３６）、発行処理を行うことなく、シャッタ１９を閉鎖位置にスライド移動させて取込口１８を閉鎖させ（Ｓ１２）、計数情報を管理装置４に送信し（Ｓ１３）、全てのフラグを「０」に設定し（Ｓ１４）、計数機処理を終了する。
【００４２】
（２）遊技機端末が行う処理
貸出装置２及び中継装置３からなる遊技機端末は、遊技機端末処理を開始すると、会員カードを受付けたか否かを判定し（Ｓ４１）、会員カードを受付けた旨を判定すると（Ｓ４１：ＹＥＳ）、遊技ＩＤ情報を管理装置４に送信する（Ｓ４２）。そして、遊技機端末は、パチンコ台１やアウトボックスから遊技情報信号を受信したか否かを判定し（Ｓ４３）、パチンコ台１やアウトボックスから遊技情報信号を受信した旨を判定すると（Ｓ４３：ＹＥＳ）、その受信した遊技情報信号を管理装置４に送信し（Ｓ４４）、遊技機端末処理を終了する。
【００４３】
（３）管理装置４が行う処理
管理装置４は、図１１に示すように、時刻、計数機ＩＤ、計数者、計数値及び会員計数を１レコードとする計数履歴を記憶保持しており、計数装置５から計数情報を受信する毎に計数履歴を更新する。ここで、管理装置４は、時刻の欄には、「遊技媒体を計数した時刻（計数装置５から計数情報を受信した時刻）」を記録し、計数機ＩＤの欄には、「計数情報を送信した計数装置５のＩＤ（計数機ＩＤ）」を記録し、計数者の欄には、計数処理を許容した計数者が遊技者である場合は「当該遊技者のＩＤ（遊技者ＩＤ）」を記録し、計数処理を許容した計数者が従業員である場合は「従業員」を記録し、計数値の欄には、計数を正常に終了した場合は「当該計数処理で計数した値」を記録し、計数を正常に終了しなかった場合は「−」を記録し、会員計数の欄には、会員計数が認められて遊技者が自らで計数を行った場合は「○」を記録し、遊技者の認証で計数処理を開始したが異常が発生して会員計数が認められなかった場合は「×」を記録し、従業員が計数を行った場合は「−」を記録する。
【００４４】
また、管理装置４は、図１２に示すように、遊技場に設置されている全てのパチンコ台１毎に、時刻、遊技者及びアウトを１レコードとする遊技履歴を記憶保持している。ここで、管理装置４は、所定時間間隔（本実施形態では「１０分」間隔）で遊技履歴を定期的に集計し、時刻の欄には、「遊技履歴を集計した時刻（遊技機側から遊技情報信号を受信した時刻）」を記録し、遊技者の欄には、会員カードが貸出装置２に挿入されている場合は「貸出装置２から受信した遊技ＩＤ情報のＩＤ（遊技者ＩＤ）」を記録し、それ以外の場合は「−」を記録し、アウトの欄には、「アウトボックスから中継装置３を介して受信したアウト信号に基づく営業開始時点からの累計アウト数」を記録する。
【００４５】
さて、管理装置４は、計数管理処理を開始すると、計数装置５から計数ＩＤ情報を受信したか否かを判定し（Ｓ５１）、計数装置５からエラー情報を受信したか否かを判定し（Ｓ５２）、計数装置５から計数情報を受信したか否かを判定し（Ｓ５３）、遊技機端末から遊技ＩＤ情報を受信したか否かを判定し（Ｓ５４）、遊技機端末から遊技情報信号を受信したか否かを判定し（Ｓ５５）、遊技履歴の更新時刻に達したか否かを判定する（Ｓ５６）。
【００４６】
ここで、管理装置４は、計数装置５から計数ＩＤ情報を受信した旨を判定すると（Ｓ５１：ＹＥＳ）、会員データベースを検索し、受信した計数ＩＤ情報により特定されるＩＤが優良会員のＩＤであるか否かを判定する（Ｓ５７）。そして、管理装置４は、受信した計数ＩＤ情報により特定されるＩＤが優良会員のＩＤである旨を判定すると（Ｓ５７：ＹＥＳ）、そのＩＤを計数履歴に会員計数として記録済みであるか否かを判定し（Ｓ５８）、そのＩＤを計数履歴に会員計数として記録済みでない旨を判定すると（Ｓ５８：ＮＯ）、会員計数を許容すべく許容情報を計数装置５に送信する（Ｓ５９）。
【００４７】
一方、管理装置４は、そのＩＤを計数履歴に会員計数として記録済みである旨を判定すると（Ｓ５８：ＹＥＳ）、そのＩＤを計数後に遊技履歴に記録済みであるか否かを判定し（Ｓ６０）、そのＩＤを計数後に遊技履歴に記録済みである旨を判定すると（Ｓ６０：ＹＥＳ）、該当する遊技履歴のアウト増加数が「１０００」以上であるか否かを判定する（Ｓ６１）。そして、管理装置４は、該当する遊技履歴のアウト増加数が「１０００」以上である旨を判定すると（Ｓ６１：ＹＥＳ）、この場合も、会員計数を許容すべく許容情報を計数装置５に送信する（Ｓ５９）。
【００４８】
一方、管理装置４は、ＩＤを計数後に遊技履歴に記録済みでない旨を判定すると（Ｓ６０：ＮＯ）、または、該当する遊技履歴のアウト増加数が「１０００」以上でない旨を判定すると（Ｓ６１：ＮＯ）、会員計数が連続して行われているため、会員計数を拒絶すべく拒絶情報を計数装置５に送信し（Ｓ６２）、遊技場内に設置されている放送設備により従業員を呼出す従業員呼出処理を行う（Ｓ６３）。
【００４９】
また、管理装置４は、計数装置５からエラー情報を受信した旨を判定すると（Ｓ５２：ＹＥＳ）、この場合も、遊技場内に設置されている放送設備により従業員を呼出す従業員呼出処理を行う（Ｓ６３）。また、管理装置４は、計数装置５から計数情報を受信した旨を判定すると（Ｓ５３：ＹＥＳ）、計数履歴を更新し（Ｓ６４）、遊技機端末から遊技ＩＤ情報を受信した旨を判定すると（Ｓ５４：ＹＥＳ）、新たなレコードを作成すると共に、遊技者ＩＤを記録することで遊技履歴を更新し（Ｓ６５）、遊技機端末から遊技情報信号を受信した旨を判定すると（Ｓ５５：ＹＥＳ）、遊技情報であるアウトを更新することで遊技履歴を更新する（Ｓ６５）。また、管理装置４は、遊技履歴の更新時刻に達した旨を判定すると（Ｓ５６：ＹＥＳ）、新たなレコードを作成すると共に、その前のレコードの遊技者ＩＤを持ち越して記録することで遊技履歴を更新する（Ｓ６５）。例えば更新時刻である「９：２０」となった場合は、「９：２０」の新レコードを作成し、前レコードである「９：１０」の遊技者ＩＤ「００１−１３６４」及びアウト「５２０」を新レコードの「遊技者」及び「アウト」欄に持ち越して記録する。そして、アウト信号の受信に応じて「アウト」欄を更新する。図１２では、当該レコードの最終時刻である「９：３０」までに「アウト」欄を「５２０」から「１４２０」まで更新した旨を示している。
【００５０】
さて、管理装置４が許容情報及び拒絶情報のいずれかを選択して計数装置５に送信する
具体的な例を以下に示す。ここでは、管理装置４が計数履歴として図１１に示すデータを記録していると共に遊技履歴として図１２に示すデータを記録している場合で説明すると、計数時刻「１０：２０」で会員ＩＤ「００１−１２７１」の場合（Ｎｏ１の場合）であれば、それ以前に会員ＩＤ「００１−１２７１」が計数者として計数を行っていないので、許容情報を計数装置５に送信する。尚、この場合、許容情報を計数装置５に送信したが、計数途中で計数値が計数上限値を超えたので、会員計数として記録することなく、従業員を呼出し、計数時刻「１０：２４」で従業員による計数を記録している。また、計数時刻「１０：３０」で会員ＩＤ「００１−１２７１」の場合（Ｎｏ３の場合）であれば、それ以前に会員ＩＤ「００１−１２７１」が計数者として計数を行っているが、会員計数として記録済みでないので、この場合も、許容情報を計数装置５に送信する。
【００５１】
また、計数時刻「１５：４５」で会員ＩＤ「００１−１６７２」の場合（Ｎｏ１２２の場合）であれば、それ以前に計数時刻「１５：１６」で会員ＩＤ「００１−１６７２」が計数者として計数を行っており、会員計数として記録済みであるが、前回の計数と今回の計数との間（「１５：１６」〜「１５：４５」）で会員ＩＤ「００１−１６７２」の遊技履歴を記録しており且つ当該遊技でのアウト増加数が「１０００」以上であるので、許容情報を計数装置５に送信する。
【００５２】
また、計数時刻「１５：５５」で会員ＩＤ「００１−１２４９」の場合（Ｎｏ１２５の場合）であれば、それ以前に計数時刻「１５：４８」で会員ＩＤ「００１−１２４９」が計数者として計数を行っており、会員計数として記録済みであるが、前回の計数と今回の計数との間（「１５：４８」〜「１５：５５」）で会員ＩＤ「００１−１２４９」の遊技履歴を記録していないので、拒絶情報を計数装置５に送信する。尚、この場合、従業員を呼出し、計数時刻「１５：５７」で従業員による計数を記録している。
【００５３】
ところで、上記した構成では、パチンコ台１毎に遊技履歴を集計して管理する構成を説明したが、会員毎の計数履歴と遊技履歴とを集計して管理し、遊技者が会員カードをカード挿入口２３に挿入して会員計数を行うときに、会員毎に管理している計数履歴と遊技履歴とを参照し、連続計数を行ったか否かを判定するようにしても良い。また、遊技者毎に持玉数（貸玉数＋セーフ数−アウト数）を特定し、その特定した持玉数と計数値とを比較し、計数値が持玉数の許容範囲内であれば、連続性や計数上限値を判定することなく計数を許容するようにしても良い。この場合、複数回にわたって計数したときの合計の計数値と遊技者の持玉数の合計とを比較すれば良く、つまり、計数開始時には計数していない持玉数が所定数以上であるか否かに基づいて計数を許容し、発行処理時には持玉数の合計と現在までに計数した計数値の合計とを比較すれば良い。
【００５４】
以上に説明したように本実施形態によれば、遊技者または従業員が計数装置５にて計数した計数履歴及び遊技者がパチンコ台１にて遊技した遊技履歴を管理装置４にて集計して管理することにより、同一の遊技者が計数装置５における計数を連続して行ったか否かを判定し、計数を連続して行ったと判定すると、従業員を呼出すなどの報知動作を行うように構成したので、遊技場が意図しない計数が行われることを未然に防止することができ、従業員の認証を必要としない会員計数を有効に利用可能とすることができる。
【００５５】
本発明は、上記した実施形態に限定されることなく、次のように変形または拡張することができる。
計数装置は、パチンコ玉を計数する計数装置に限らず、メダルなどの他の遊技媒体を計数する計数装置であっても良い。その場合、メダルを計数する計数装置では、パチンコ玉のように自由落下を期待することができないので、メダルをメダル収容口に案内するための計数円板を設けて回転させ、計数円板を回転させて発生する遠心力を利用してメダルをメダル収容口に案内する構成になるが、計数者が優良会員または従業員である場合に限って計数円板を回転運動させることにより、上記した実施形態で説明したシャッタを開閉動作させる場合と同様の作用効果を得ることができる。
【００５６】
遊技者が連続計数を行ったか否かの判定として、同一の遊技者が他の遊技者または従業員による計数を介さずに計数を行った場合に連続計数を行ったと判定するようにしても良い。この場合、全ての計数装置について連続性を判断したり、同一の計数装置のみで連続性を判断したりしても良い。勿論、同一の遊技者が所定時間以内に複数回の計数を行ったか否かにより連続性を判定しても良い。
【００５７】
遊技情報としてアウト信号の他に、セーフ信号、図柄変動信号、スタート信号、大当たり信号、売上信号などを採用しても良い。この場合、例えば差玉数や図柄変動数、大当り数などの遊技情報が所定数以上増減したかを判定することにより、遊技者が連続計数を行ったか否かを判定するようにしても良い。尚、遊技情報の増減が単に変動したか否かを判定しても良い。
【００５８】
会員カードに記録されている会員ＩＤや従業員が携帯する操作リモコンから送信されたリモコン信号の従業員ＩＤを採用して識別する構成に限らず、ＩＣタグを採用して識別する構成であっても良い。また、識別情報は磁気情報や例えば指紋などの生体情報であっても良い。従業員ＩＤは、計数処理が許容されている人物を特定可能なものであれば、従業員毎のＩＤ、営業日当日の該当従業員のＩＤ、遊技場の従業員である旨を示すＩＤ、遊技場内で共通のＩＤなどのいずれのＩＤであっても良い。尚、このような識別情報は予め計数装置や管理装置などで別途設定しておく必要がある。
【００５９】
優良会員であるか一般会員であるかの区分は、来店回数のみに限らず、使用した遊技媒体数、投資金額または計数回数などの他の条件を単独または複合的に用いて、一般会員から優良会員に昇格したり優良会員から一般会員に降格したりするものであっても良い。また、単純に遊技場が常連であると認めた遊技者を従業員が入力操作することで優良会員として設定するようにしても良い。
【００６０】
遊技者が遊技する際に会員カードを提示しない場合または遊技機端末として会員カードを受付ける手段が存在しない場合を考慮し、遊技者を図８に示した遊技履歴で特定するのではなく、遊技情報を定期的に集計し、遊技者が遊技した遊技機を特定可能な情報を計数装置にて入力（台番入力）することにより、該当する遊技機で遊技情報が変動したか否かを判定するようにしても良い。その場合、遊技情報信号を所定時間受信しないか否か基づいて遊技機の稼動状態を判定し、遊技者が計数を行うときに該当するパチンコ台が非稼動状態であるか否かを判定することにより、計数を許容するか否かを決定するようにしても良い。また、遊技情報の増減をも併せて複合的に判定することにより、計数を許容するか否かを決定するようにしても良い。尚、操作手段としては従業員リモコンを例示したが、計数装置に台番入力操作部を設けて直接入力操作を受付けるようにしても良い。
【００６１】
遊技者が遊技している途中で計数を行うときに遊技している途中にあるパチンコ台の台番を入力するようにし、そのパチンコ台の遊技情報を管理装置にて監視することにより、遊技者が計数を行った後に遊技したか否かを判定するようにしても良い。
【００６２】
計数装置において、従業員の認証を受付けた場合にも計数上限値を設けても良い。
管理装置における処理を計数装置が行う構成としても良いし、計数装置における処理を管理装置が行う構成としても良い。例えば連続性などの異常判定を管理装置にて行ったり従業員ＩＤを計数装置に予め記憶させずに計数処理時に毎回管理装置に問い合わせたり、会員ＩＤを計数装置に予め記憶させ、計数処理時に問い合せを行わない構成などが例示できる。
【００６３】
計数上限値に対応させた警告計数範囲（例えば計数上限値が「２０００玉」である場合に「１７００玉〜１９００玉」や「１８００玉〜２０００玉」などの計数上限値よりも計数値が少ない、あるいは計数上限値以下の範囲を別途設定及び記憶可能に構成し、計数値が警告計数範囲にある場合に、「連続計数はできません」などの警告表示を表示部（表示手段）にて表示しても良い。この場合、警告表示は、計数終了時（Ｓ２４：ＹＥＳ）や発行操作時（Ｓ２６：ＹＥＳ）に行うことが好ましい。さらに、連続計数と判定された回数を遊技者毎に計数し、その判定回数が所定値となった遊技者が計数を行った場合に限り警告表示を行っても良い。また、連続計数の判定値が所定値となった遊技者を優良会員から一般会員へと降格するようにしても良い。尚、このような警告表示や降格処理を行えば、遊技者による自発的な連続計数の回避を期待することができる。
【図面の簡単な説明】
【００６４】
【図１】本発明の一実施形態を示す全体構成図
【図２】貸出装置の斜視図
【図３】計数装置の斜視図
【図４】投入遮断蓋が開放位置にスライド移動されている態様を示す平面図
【図５】投入遮断蓋が閉鎖位置にスライド移動されている態様を示す平面図
【図６】会員データベースの一例を示す図
【図７】計数装置が行う計数機処理を表すフローチャート
【図８】計数装置が行う計数中処理を表すフローチャート
【図９】遊技機端末が行う遊技機端末処理を表すフローチャート
【図１０】管理装置が行う計数管理処理を表すフローチャート
【図１１】計数履歴の一例を示す図
【図１２】遊技履歴の一例を示す図
【符号の説明】
【００６５】
図面中、１はパチンコ台（遊技機）、２は貸出装置（遊技機端末）、３は中継装置（遊技機端末）、４は管理装置（識別情報記憶手段、識別情報照合手段、計数者記憶手段、異常判定手段、報知手段、遊技情報特定手段、稼動状態判定手段、獲得遊技媒体特定手段）、５は計数装置（遊技者計数許容手段、計数上限値記憶手段、計数値判定手段、報知手段、操作手段、発行許容手段）である。
【図１】
0005105473.tif 000002
【図２】
0005105473.tif 000003
【図３】
0005105473.tif 000004
【図４】
0005105473.tif 000005
【図５】
0005105473.tif 000006
【図６】
0005105473.tif 000007
【図７】
0005105473.tif 000008
【図８】
0005105473.tif 000009
【図９】
0005105473.tif 000010
【図１０】
0005105473.tif 000011
【図１１】
0005105473.tif 000012
【図１２】
0005105473.tif 000013